(57)【要約】      （修正有）【課題】後壁を設けることなく、雲台の上において光学機器の横長の位置と縦長の位置を変換することができる雲台を提供する。【解決手段】雲台Ｕは正面視で縦横の寸法が異なるカメラを取り付けるカメラ固定座１０と、カメラが横長の位置で使用可能に取付けられたカメラ固定座１０を、正面視において左方向に第１の回転軸８−１に基づいてほぼ９０度回転させ、さらにほぼ９０度回転させたカメラ固定座１０を第２の回転軸１０−１に基づいてほぼ１８０度回転させてカメラを縦長の位置で使用可能にする回転機構を備える。【選択図】図４
0003180936.tif 000002
【実用新案登録請求の範囲】
【請求項１】
正面視において縦横の寸法が異なる光学機器を取り付ける取付け用台枠と、
前記光学機器が横長の位置で使用可能に取り付けられた前記取付け用台枠を、前記横長の位置の左右方向の一方向に第１の回転軸を中心としてほぼ９０度回転させ、さらにほぼ９０度回転させた前記取付け用台枠を、第２の回転軸を中心としてほぼ１８０度回転させて前記光学機器を縦長の位置で使用可能にする回転機構とを備えることを特徴とする雲台。
【請求項２】
正面視において縦横の寸法が異なる光学機器を取付ける取付け用台枠と、
前記取付け用台枠が取付けられたアームと、
前記光学機器が横長の位置で使用可能に取付けられた前記取付け用台枠を、前記アームに設けられた、第１の位置固定部材の係止状態を解除して、前記横長の位置の左右方向の一方向に、前記アームをほぼ９０度回転させることで、第１の回転軸を中心としてほぼ９０度回転させ、さらにほぼ９０度回転させた前記取付け用台枠を、前記アームに設けられた第２の位置固定部材の係止状態を解除して前記アームをほぼ１８０度回転させることで、第２の回転軸を中心としてほぼ１８０度回転させて、前記光学機器を縦長の位置で使用可能にする回転機構とを備えることを特徴とする雲台。
【請求項３】
前記横長の位置と前記縦長の位置とにおける前記光学機器のレンズの光軸の位置が近接していることを特徴とする請求項１又は２に記載の雲台。
【請求項４】
前記横長の位置と前記縦長の位置とにおける前記光学機器のレンズの光軸の位置が同一位置であることを特徴とする請求項１又は２に記載の雲台。
【請求項５】
前記横長の位置から前記縦長の位置への状態遷移と逆の状態遷移により前記縦長の位置から前記横長の位置に状態遷移可能であることを特徴とする請求項１〜４のいずれか１項に記載の雲台。
【考案の詳細な説明】
【技術分野】
【０００１】
本考案は、カメラ等の光学機器の光軸を大幅に変更することなく、かつ縦位置にしたとき、雲台の側方へ移動し安定を著しく損なうことなく、光学機器が横長となる位置と縦長となる位置を雲台の上で変更可能にしたことによるものである。
【背景技術】
【０００２】
プロ用又はアマチュア用を問わず、写真撮影には欠かすことのできない機材として、光学機器としての「カメラＫ」（例えば、デジタルカメラや３５ミリ銀塩カメラ）を支える三脚や、営業写真撮影で多く使われて「スタンドＳ」がある。
これらの三脚や、「スタンドＳ」においては雲台が重要な役割を果たしている。
雲台は、カメラ等の光学機器と三脚等の架台本体との間に設けられて、光学機器を任意の方向にむけて固定する物である。
【０００３】
従来から雲台には写真の構図を決めるために三種の機能が組込まれている。所謂スリーウエイである。
（１）  ティルト。前後方向に傾斜させる機能である。
（２）  左右傾斜。機器の傾きを調整することと、横位置のカメラを雲台左側へ移動して縦位置に変換させる。
（３）  スウィング。水平に旋廻させる機能である。
営業写真では撮影条件に合わせ、（１）前後方向に傾斜させるティルト、と（２）カメラを縦位置、横位置の変換は、必須条件で、（３）スウィングは「スタンドＳ」にキャスターが付設されているので、それで代用可能である。
【０００４】
通常、写真の画面サイズは、「６Ｘ６判」以外は長方形である。特に営業写真では、プリントする際に、顧客に指定された大きさに引き伸ばすことが多い。
写真撮影時には、画面サイズを有効に利用する為に、例えば集合写真等には、カメラを雲台に横長の位置に取り付けて、また成人式の写真のように立姿であれば、縦長の位置に取り付けて撮影を行っている。
すなわち、カメラの雲台への取り付け位置を横長の位置と縦長の位置に変換する作業は営業写真には必須となるものである。一般にカメラは正面視において縦・横の寸法が異なり、横長に形成されている一方で、写真の画面サイズが長方形であることと相俟って、カメラを横長に位置で使用しても、カメラを縦長の位置で使用しても写真撮影は可能である。
【０００５】
一般に横長に形成されている「カメラＫ」には横長の位置とした場合の底面にのみカメラを固定するネジ穴が設けられている。したがって「カメラＫ」を「雲台Ｕ」に固定すると、カメラは当然横長の位置（状態）に取り付けられることになる。
このような状態からカメラの取り付け位置を縦長の位置（状態）に変換するためには、これまでは雲台の左右傾斜用のパン棒を緩め、カメラの正面視における左側へ倒すようにして縦長の位置（状態）とすることが必要であった。
このときの問題点は、カメラの正面視において、左側へ倒すようにして「カメラＫ」を遷移させて縦長の位置（状態）を得ることと、縦・横の寸法が異なることに起因して、カメラのレンズの光軸（センター）がずれてしまうことである。また、雲台の左側へカメラが位置することになるため、重心が左側に偏って安定性を著しく欠くことになる。更に、営業写真撮影ではカメラ用「スタンドＳ」に複数台のカメラを搭載することが多く、隣接するカメラと必要異常に接近することにより使い勝手が悪くなると云う事態が発生してしまう。
【０００６】
関連技術として、レンズ光軸の移動に基づきピントがずれてしまい、再度のピント合わせを要する問題を解決すべく、支持対象とするカメラを、カメラのレンズにおける光軸線の後方延長線において回転自在に支持するように構成した雲台を提供する技術が開示されている（特許文献１参照）。
この関連技術の背景には、横長方向に取り付けられているカメラを、縦長方向（状態）に変位させた際、そのレンズの位置が、カメラの回転移動に伴い、必然側方に動いてしまうことがある。一般のフィルムは長方形状を呈し、そのため、これを縦長に用いるか、あるいは縦長に用いるかは、カメラの向け方に基づき決定される。三脚等を用いた写真撮影においては、被写体にピントを合わせた状態で、写真の構図を横長とした方がよいか、縦長とした方が良いかの選択をファインダーを介して可視的に行う場合が多い。カメラの回転移動に伴い、レンズの位置も側方に移動してしまうと、例えば横長方向に位置させてピントを合わせを行ったカメラを、縦長方向に回転移動させた場合、予め被写体をファインダーの中心に合わせておいてもレンズの移動に基づき、被写体が不自然な状態に位置してしまったり、極端な場合はファインダーから外れてしまう。
【先行技術文献】
【特許文献】
【０００７】
【特許文献１】登録実用新案第３０５７３７１号公報
【考案の概要】
【考案が解決しようとする課題】
【０００８】
しかも（更に）上記関連技術では、カメラの横長の位置と縦長位置を変換するために必須の機構の一部として雲台に載置したカメラの後方（撮影者側）に後壁が設けられている。
近年のカメラは高性能・高機能化が著しく、カメラ後面にも種々の装置（例えば、液晶表示画面）が設けられていること等から、雲台に載置したカメラの後方（撮影者側）に後壁が設けられている構成では、撮影者がカメラを利用・操作・確認等する際に使い勝手が悪いと云う問題点がある。またカメラ後面と後壁が接触すること等に起因してカメラ後面に設けられている種々の装置が損傷したりする恐れもある。
したがって、雲台に載置したカメラの後方はオープンに開放されていることが望ましい。
【０００９】
本考案の目的は、後壁を設けることなく、雲台の真上においてカメラなど光学機器の横長の位置と縦長の位置を変換することができる機構を具備した雲台を提供することにある。
【課題を解決するための手段】
【００１０】
本考案の第一の雲台は正面視において縦・横の寸法が異なる光学機器（カメラ）を取り付け用台枠（カメラ固定座）と光学機器（カメラ）が横長の位置で使用可能に取り付けられた取り付け用台枠（カメラ固定座）を横長の位置の左右方向の一方向（片方）に第一の回転軸を中心（芯に）として略９０度（９０度）回転させ、さらにその略９０度（９０度）回転させた取り付け用台枠（カメラ固定座）を第２の回転軸を中心（芯）として略１８０度（１８０度）回転させて光学機器（カメラ）を縦長の位置（状態）で使用可能にする回転機構を備えることを特徴とする。
これにより、光学機器（カメラ）の後方がオープンなスペースとして確保されながら、雲台の真上において光学機器（カメラ）を横長の位置と縦長の位置とに容易に変換することができる。
【００１１】
本考案の第２の雲台は正面視において、縦・横の寸法が異なる光学機器（カメラ）を取り付け用台枠（カメラ固定座）と光学機器（カメラ）が横長の位置で使用可能に取り付けられた取り付け用台枠（カメラ固定座）を、アームに設けられた第１の一固定部材の系止状態を解除して横長の位置の左右方向の一方向（片方）にアームを略９０度（９０度）回転させることで第１の回転軸を中心（芯）として略９０度（９０度）回転させ、さらにその略９０度（９０度）回転させた取り付け用台枠（カメラ固定座）を、アームに設けられた第２の位置固定部材の係止状態を解除して、アームを略１８０度（１８０度）回転させることで、第２の回転軸を中心（芯）として略１８０度（１８０度）回転させ光学機器（カメラ）を縦長の位置（状態）で使用可能にする回転機構（と）を具備することを特徴とする。
これにより光学機器（カメラ）の後方がオープンなスペースとして確保されながら、雲台の真上において光学機器（カメラ）を横長の位置と縦長の位置とに容易に変換することが出来る。
【００１２】
また、横長の位置と縦長の位置とにおける光学機器（カメラ）のレンズ光軸の位置が近接していたり、一致していることであってもよい。
これにより、光学機器（カメラ）のピント等を再調整する負担が軽減される。
【００１３】
また、横長の位置から縦長の位置への状態遷移と逆の状態遷移により縦長の位置から横長の位置に状態遷移可能であっても良い。
すなわち、縦長の位置で使用可能な光学機器（カメラ）を第の回転軸を中心（芯）として略１８０度回転させ、さらに第１の回転軸を中心（芯）として略９０度回転させて光学機器（カメラ）を横長の位置で使用かのうにすることが出来る。これにより横長の位置と縦長の位置の変換がスムーズに行うことが可能となり光学機器（カメラ）の使い勝手の向上が図られる。
【考案の効果】
【００１４】
本考案によれば、後壁等がないので使い勝手が悪くならないまま、雲台の真上において光学機器（カメラ）の横長の位置と横長の位置を変換可能な雲台を提供することができる。
【図面の簡単な説明】
【００１５】
【図１】本考案の実施の形態に係る雲台（カメラは横長の位置）をカメラ用スタンドに取付けて使用する状態を示す図である。
【図２】本考案の実施の形態に係る雲台（カメラは横長の位置）の側面図である。
【図３】本考案の実施の形態に係る雲台（カメラは横長の位置）の上面図である。
【図４】本考案の実施の形態に係る雲台（カメラは横長の位置）の背面図である。
【図５】本考案の実施の形態に係る雲台の取付用台枠を図４に示す位置から９０度回転させた状態を示す図である。
【図６】本考案の実施の形態に係る雲台の取付用台枠を図５に示す位置から１８０度回転させた状態を示す図である。
【図７】本考案の実施の形態に係る雲台（カメラは縦長の位置）の側面図である。
【図８】本考案の実施の形態に係る雲台（カメラは縦長の位置）をカメラ用スタンドに取付けて使用する状態を示す図である。
【考案を実施するための形態】
【００１６】
以下、本考案の一実施の形態を図面を参照しつつ説明する。図１に示すように、本実施形態の「雲台Ｕ」は、架台本体の一例であるカメラ用「スタンドＳ」と光学機器の一例である「カメラ（デジタルカメラ）Ｋ」の間に設けられる。
【００１７】
本実施形態の「雲台Ｕ」は、ティルト機構とリボルビング機構を備える。以下、図２、図３及び図４を参照してそれぞれについて順に説明する。
【００１８】
まず、ティルト機構について説明する。ティルト機構とは、「カメラＫ」を前後方向（上下方向）に傾斜させる動作で、その動作を可能ならしめる機構を云う。金属、樹脂等の部材（素材）により構成されてよい。
ティルト機構は、「ＲＰベース（リボルブ・パンヘッド  ベース）１」、「ティルト軸２」、「ティルトロック３」、「ティルト軸ガイド４」、「ティルト軸固定５」の部品で構成されている。
【００１９】
「ＲＰベース１」は、「雲台Ｕ」のベースで、カメラ用「スタンドＳ」に取り付け固定される部分である。
「ティルト軸２」は、ティルト動作の回転軸を含む芯軸部分である。
「ティルトロック３」は、ティルト動作のロック（固定）を行う部分であり、締付機構（部品  例えば、市販品である  ＬＥＭ−８Ｘ４０−ＢＫ  若しくはパン棒等で代用も可）が付加加工されており、撮影者が操作し易くなっている。
「ティルト軸ガイド４」は「ティルト軸２」の回転動作の際の規制（ガイド）となる部分である。
「ティルト軸固定５」は、「ティルト軸２」を支持・固定する部分である。
【００２０】
以下、ティルト機構の各構成部分の関係を説明する。
ステップ１：「ティルト軸２」を「ティルト軸固定５」に小ビス・押しネジ等で固定し、それを「スタンドＳ」などに取り付けるための「ＲＰベース１」に確固に連結固定する。
ステップ２：「ティルト軸２」の両側にそれぞれ緩衝を兼ねて、「ティルト軸ガイド４」と「ティルトロック３」の間隔を保持するための樹脂リング等を介在させて、後述する「リボルビングベース６」の下面に連結固定する。
ステップ３：「ティルト軸ガイド４」と「ティルトロック３」により支持された「ＲＰベース１」は「ティルト軸２」を回転軸（芯軸）としてティルト動作（前後方向）が可能になる。
また、ティルトに動作のロック（固定）は、「ティルトロック３」に付加加工されている締付機構（たとえば、ＬＥＭ−８Ｘ４０−ＢＫ）により行う。
【００２１】
次に、リボルブ機構について説明する。リボルブ機構とは、（「カメラＫ」の光軸を変えることなく）「カメラＫ」を縦長の位置と横長の位置に変換することを云う。金属、樹脂、等の部材により構成されてよい。
リボルブ機構は、「リボ・ベース６」、「アーム７」、「ヒンジ８」、「ヒンジ９」、「カメラ固定座１０」から構成されている。
リボルブ機構は、リボ・ベース６と、アーム７と、ヒンジ８と、ヒンジ９と、カメラ固定座１０から主に構成されている。
【００２２】
「リボ・ベース６」は、「ティルトロック３」と「ティルト軸ガイド４」により支持されるリボルビング機構の土台（ベース）となる部分である。
「アーム７」は、両端がＲに加工されたほぼ長方形の部材からなり、一方の先端近傍に「カメラ固定座１０」が取り付けられている部分である。中央部近傍のそれぞれ計算割出された所定の位置に「第１のプランジャ１１」及び「第２のプランジャ１２」が付設されている。
「ヒンジ８」及び「ヒンジ９」は、「アーム７」を挟み込む部分である。「ヒンジ８」、「ヒンジ９」並びに「アーム７」を貫通して「回転軸芯８−１」が設けられ、その「回転軸芯８−１」を中心に「アーム７」は角度９０度回転動作が可能となっている。「ヒンジ８」および「ヒンジ９」は「回転軸芯８−１」の軸受として機能する。
「カメラ固定座１０」は、「カメラＫ」の取り付け台枠であり、カメラ取付用水平板部と、「アーム７」に取付用垂直板部とで側面視において逆Ｌ字状を呈する外観で形成されている。カメラ取付用水平板部には所定個所に透孔が穿設されて挿通された所定のカメラ固定止ネジが載置されている。
「カメラＫ」底面に設けられた雌ネジ穴（Ｗ１／４”小ネジ）に螺合して固定する。「第２のプランジャ１２」用「第３のノック穴」及び「第４のノック穴」がアーム取付用垂直板部のＬ字の内面側に角度１８０度の位置関係で加工して設けられている。「カメラ固定座１０」は、「アーム７」の一方の先端近傍に「回転軸芯１０−１」を中心に角度１８０度の旋廻動作が可能に取り付けられている。
【００２３】
以下、リボルビング機構の各構成部分の関係を説明する。
ステップ５：予め「ＲＰベース１」の固定ネジ（Ｗ３／８”１６山  若しくはＷ１／４”２０山）の真上の延長線上に、「カメラＫ」の底面に設けられたネジ穴が位置するように計算された、数値の「アーム７」を附設する。そして、「第１のプランジャ１１」（例えばＰＬＸ−５Ｘ５−ＡＫ）を引き「ヒンジ８」に加工付設された「第１のノック穴」による「アーム７」のロック（固定）を解除して、「アーム７」を「ヒンジ８」及び「ヒンジ９」に挟まれた状態で「回転軸８−１」を中心に旋廻して９０度立ち上げ、「第１のプランジャ１１」により、「ヒンジ８」に加工して設けられた「第２のノック穴」でロック固定する。
ステップ６：「アーム７」に「カメラ固定座１０」を「回転軸１０−１」を中心に角度１８０度の旋廻動作が可能に取り付け、「第２のプランジャ１２」（例えばＰＬＸ−５Ｘ５−ＡＫ）により「カメラ固定座１０」の裏側に加工し設けられた「第３のノック穴」でロック（固定）する。
ステップ７：「カメラ固定座１０」の「回転軸１０−１Ａ」から「カメラＫ」のレンズの光軸（Ｃ）までの数値と、「カメラ固定座１０」の「回転軸１０−１Ａ」から「アーム７」を角度９０度立ち上げる時の「回転軸８−１Ｂ」までの数値が同寸になるよう、高さを調整加工した「カメラ固定座１０」を設定する。または、それらの数値が同寸になるように「アーム７」のそれぞれＡ、Ｂの旋回軸間の長さ等を調整加工することであっても良い。
ステップ８：「カメラＫ」が横長の位置の場合には、「カメラＫ」のレンズの真下底面に設けられた固定用ネジ穴が位置するので、そのままの状態で「カメラ固定座１０」に螺合使用する。
一方、カメラを縦長の位置として使用する場合は、「第１のノック穴」でロックされた「第１のプランジャ１１」を引き外して「アーム７」を「回転軸８−１」を中心に旋廻して角度９０度立ち上げて「第２のノック穴」でロックする。外側に位置した「カメラＫ」の光軸は（Ｃ’）になる。「第３のノック穴」でロックされた「第２のプランジャ１２」を引き外して「回転軸１０−１」中心に角度１８０度旋廻させて第４のノック穴でロックすると、「カメラＫ」のレンズ光軸は、元の位置（Ｃ）に戻り、光軸を変えることなく、「雲台Ｕ」の上において「カメラＫ」を縦長の位置（状態）で写真撮影が可能となる。
【００２４】
以下、本実施形態の「雲台Ｕ」の使用態様について図面を参照して説明する。
本実施形態の「雲台Ｕ」は、「ＲＰベース１」を、その底面に設けられた雌ネジ（タップ穴）と（「ＲＰベース１」）カメラ塔載用「スタンドＳ」における固定用雄ネジの螺合で固定する。なお、Ｗ１／４”若しくはＷ３／８”のインチネジ使用が国際的に写真業界共通の規格となっている。
そして「カメラ固定座１０」の上に、「カメラＫ」を載置すると共に、「カメラＫ」の底面に設けられた雌ネジと「カメラ固定座１０」に挿通具備された固定ネジを螺合させることにより確実に固定する。
このようにして、図１に示すように「カメラＫ」を横長の位置での取り付けが完了し、撮影者はこの状態で被写体に対するピント合わせ等を行う（図４も参照）。
被写体の形態から、撮影者が縦長構図の写真の方が良いと思った場合は、ロックされた「第１のプランジャ１１」を外して、「アーム７」を「回転軸８−１」を中心（軸）に旋廻して、図５に示すように角度９０度立ち上げる。「カメラＫ」の光軸は「Ｃ’」の位置になる。
さらに、ロックされた「第２のプランジャ１２」を外して「回転軸１０−１」を中心（軸）に図６に示すように角度１８０度旋廻させると、「カメラＫ」の光軸は元の位置「Ｃ」に戻り、横長の位置から光軸を変えることなく、雲台の上で「カメラＫ」を縦長の状態で撮影が可能となる（図６、図７参照）
すなわち、図１に示す状態から図８に示す状態に転化遷移させる。光軸を変更することがないので、「カメラＫ」を横長の位置から縦長の位置に変換しても、被写体が「カメラＫ」のレンズの中心から外れることも、ピントがずれることもない。
【００２５】
逆に、本実施形態の「雲台Ｕ」を、図８に示す状態から図１に示す状態に転化遷移させることも可能である。
すなわち、図６に示す状態からロックされた「第２のプランジャ１２」を外して「回転軸１０−１」を中心（軸）に角度１８０度旋廻させて、「カメラＫ」の（光軸Ｃ’）のする（図５参照）
次に、ロックされた「第１のプランジャ１１」（プランジャ１１）を外して「アーム７」を「回転軸８−１」を中心に旋廻して、図４に示す位置まで角度立ち下げる（倒す）と、「カメラＫ」の光軸は元の位置（光軸Ｃ）にもどり、縦長の位置から光軸を変更することなく「雲台Ｕ」の上で横長の状態で撮影が可能となる。
【００２６】
上記本実施形態によれば、「雲台Ｕ」には後壁がないので使い勝手が悪くならないまま、「カメラＫ」の光軸を変更することなく、雲台の上で縦長・横長の画像構図変換が可能になる。
【００２７】
市販されている同程度の中型雲台の高さの範囲でティルト機構を組込んだので、質量、高さ、重量とも同程度で納まり、「雲台Ｕ」の上で、横長、縦長、の位置に変換できるので重心も変わらず更なる安定性が得られる。
【００２８】
縦位置、横位置に変換したとき、光軸が元の位置に戻る条件は、「アーム７」のそれぞれの旋回軸すなわち、「１０−１Ａ」と「８−１Ｂ」の「数値Ｚ」と、「１０−１Ａ」から搭載する「カメラＫ」の「光軸Ｃ」までの数値が同寸であること（正方形）が絶対的な条件である。
したがって、「Ｘの数値」が一定の数値に設定されていれば、
Ｚ＝「カメラ固定座１０」の「旋廻軸心Ａ」から上面までの「数値Ｘ」＋「カメラＫ」の底面から光軸までの「数値Ｙ」の公式が成り立つこととなる。
なお、上記した「カメラＫ」の光軸は、カメラ機種によりよりその位置（数値Ｙ）がそれぞれ異なるものである。Ｚ−Ｙ＝Ｘ  の公式により「Ｘ」の数値を変えた数種類用意しておけば、大方の搭載カメラに対応することが可能になる。
また、バッテリー組込の腰高のカメラ、バッテリーケースを接続したカメラには、「数値Ｚ」の異なる「アーム７」を数種用意すれば事足りる。
特段に精密を要する写真は別として、一般写真館での「肖像写真」では数ミリ程度のズレはきわめて小さくほとんど不問であるとも云える。したがって「カメラＫ」の光軸は縦長の位置と横長の位置で完全に一致している場合のみでなく、ほぼ一致する程度（近接）であっても充分実用に耐える。
【００２９】
その他、いちいち例示はしないが、本考案はその構造を逸脱しない範囲内において、各構成部分の大きさや形状を含む種々の変更が加えられて実施されてもよい。カメラ用「スタンドＳ」は架台本体の一例であり、「カメラ（デジタルカメラ）Ｋ」は光学機器の一例である。
また、プランジャは、ストッパー機構の一例であり、任意の出没自在に設けたストッパー用突起等が設けられることであっても良い。
螺合締着等による固定対象は、カメラ用スタンドや三脚等に限定されることなく、任意のものであっても可とする。また、カメラ用スタンドや三脚等への取り付けを絶対的要件とするものではない。
【符号の説明】
【００３０】
Ｕ      雲台
Ｓ      カメラ用スタンド
Ｋ      カメラ
１      ＲＰベース
２      ティルト軸
３      ティルトロック
４      ティルト軸ガイド
５      ティルト軸固定
６      リボ・ベース
７      アーム
８      ヒンジ        （８−１旋廻軸）Ｂ    第３、４、ノック穴
９      ヒンジ
１０    カメラ固定座  （１０−１旋廻軸）Ａ  第１、２、ノック穴  カメラ固定ネジ
１１    第１のプランジャ
１２    第２のプランジャ
【図１】
0003180936.tif 000003
【図２】
0003180936.tif 000004
【図３】
0003180936.tif 000005
【図４】
0003180936.tif 000006
【図５】
0003180936.tif 000007
【図６】
0003180936.tif 000008
【図７】
0003180936.tif 000009
【図８】
0003180936.tif 000010